(57)【要約】  導電性部(７)と、コイル支持材（５）と、哺乳動物の体の一部を取り外し可能に支えるスペースを決める内部とを有するコイル（１）に動作可能なように接続された時間変動する電磁気力源（３）を含む時間変動する電磁気力スリーブ(１０)を提供する。また、哺乳動物の欠陥のある組織の修復を向上するための方法を提供する。
2009500075.tif 000002
【特許請求の範囲】
【請求項１】
以下を含む時間変動する電磁気力スリーブ、
ａ.  導電性部とコイル支持材を含むコイルであって、哺乳動物の体の一部を取り外し可能に支えるスペースを決める内部を有するもの；及び
ｂ.  該コイルに動作可能なように接続した時間変動する電磁気力源。
【請求項２】
前記コイルが、実質的に楕円断面を有する、請求項１に記載の時間変動する電磁気力スリーブ。
【請求項３】
前記コイルが、実質的に長円形の断面を有する、請求項１に記載の時間変動する電磁気力スリーブ。
【請求項４】
前記コイルが、実質的に円形断面を有する、請求項１に記載の時間変動する電磁気力スリーブ。
【請求項５】
前記コイルが、ソレノイドである、請求項１に記載の時間変動する電磁気力スリーブ。
【請求項６】
前記コイルが、実質的に剛体である、請求項１に記載の時間変動する電磁気力スリーブ。
【請求項７】
前記コイルが、実質的に柔軟性がある、請求項１に記載の時間変動する電磁気力スリーブ。
【請求項８】
前記コイル支持材が、実質的に剛体である、請求項１に記載の時間変動する電磁気力スリーブ。
【請求項９】
前記導電性部が、強磁性体を含む、請求項１に記載の時間変動する電磁気力スリーブ。
【請求項１０】
前記導電性部が、銀である、請求項１に記載の時間変動する電磁気力スリーブ。
【請求項１１】
前記導電性部が、導電性線である、請求項１に記載の時間変動する電磁気力スリーブ。
【請求項１２】
前記導電性部が、絶縁されている、請求項１に記載の時間変動する電磁気力スリーブ。
【請求項１３】
前記絶縁体が、実質的に剛体である、請求項１２に記載の時間変動する電磁気力スリーブ。
【請求項１４】
以下の工程を含む哺乳動物の欠陥のある組織の修復を向上する方法：
ａ.  コイルと、該コイルと動作可能なように接続した時間変動する電磁気力源を有する時間変動する電磁気力スリーブを準備する工程であって、該コイルがコイル支持材、導電性部、及び内部を含み、該内部が欠陥のある組織を持つ哺乳動物の体の一部を取り外し可能に支えるスペースを決めるものである工程、
ｂ.  該欠陥のある組織を持つ哺乳動物の体の一部に、時間変動する電磁気力スリーブを導入する工程、及び
ｃ.  該欠陥のある組織の修復を向上させるために、該欠陥のある組織を持つ哺乳動物の体の一部に、時間変動する電磁気力を供給する工程。
【請求項１５】
前記時間変動する電磁気力が、方形波（フーリエ曲線に従う）の形状である、請求項１４に記載の組織修復を向上する方法。
【請求項１６】
前記時間変動する電磁気力が、異なった方形波の形状である、請求項１４に記載の組織修復を向上する方法。
【請求項１７】
前記時間変動する電磁気力が、デルタ波の形状である、請求項１４に記載の組織修復を向上する方法。
【請求項１８】
前記方形波が、約０．０５ガウスから６ガウスまでである、請求項１５に記載の組織修復を向上する方法。
【請求項１９】
前記方形波が、約０．０５ガウスから０．５ガウスまでである、請求項１５に記載の組織修復を向上する方法。
【請求項２０】
前記方形波が、約０．５ガウスである、請求項１５に記載の組織修復を向上する方法。
【請求項２１】
哺乳動物にカルシウム補足を投与する工程を更に含む、請求項１４に記載の組織修復を向上する方法。
【請求項２２】
前記カルシウム補足が、前記工程ｃの前に投与される、請求項２１に記載の組織修復を向上する方法。
【請求項２３】
前記カルシウム補足が、前記工程ｃと同時に投与される、請求項２１に記載の組織修復を向上する方法。
【請求項２４】
前記哺乳動物にナトリウムゼオライトＡを投与する工程を更に含む、請求項１４に記載の組織修復を向上する方法。
【請求項２５】
前記ナトリウムゼオライトＡが、前記工程ｃの前に投与される、請求項２４に記載の組織修復を向上する方法。
【請求項２６】
前記ナトリウムゼオライトＡが、前記工程ｃと同時に投与される、請求項２４に記載の組織修復を向上する方法。
【請求項２７】
前記ナトリウムゼオライトＡが、約１０ｍｇ／ｋｇ体重／日から約約２０ｍｇ／ｋｇ体重／日までの範囲で投与される、請求項２４に記載の組織修復を向上する方法。
【請求項２８】
前記時間変動する電磁気力が、前記欠陥のある組織が修復されるまで、前記欠陥のある組織に供給される、請求項１４に記載の組織修復を向上する方法。
【請求項２９】
前記カルシウム補足が、前記欠陥のある組織が修復されるまで投与される、請求項２１に記載の組織修復を向上する方法。
【請求項３０】
前記ナトリウムゼオライトＡが、前記欠陥のある組織が修復されるまで投与される、請求項２４に記載の組織修復を向上する方法。
【請求項３１】
前記ナトリウムゼオライトＡが、全仕込み量の約５％未満である、請求項２４に記載の組織修復を向上する方法。
【請求項３２】
前記時間変動する電磁気力スリーブが、実質的に柔軟性がある、請求項１４に記載の組織修復を向上する方法。
【請求項３３】
前記時間変動する電磁気力スリーブが、実質的に剛体である、請求項１４に記載の組織修復を向上する方法。
【発明の詳細な説明】
【技術分野】
【０００１】
本発明は、通常、スリーブ（sleeve）、より好ましくは、哺乳動物の体の一部を取り外し可能に（removably）支える内部を有する時間変動する電磁気力スリーブに関連する。本発明はまた、使用する時に組織修復を向上することができる、時間変動する電磁気力スリーブに関連する。
【背景技術】
【０００２】
磁気の力は、自然の中で、最も基本的な力の一つである。磁力自体は、宇宙と惑星が現れた時から原始スープの構成要素であった。磁力は、星と惑星が重要な速度で回転できる、銀河中の秩序を保持する力である。
【０００３】
磁気治療は、長年に渡り論争の対象である。多くの獣医は、何年も生物学上の磁気の恩恵と、骨折を直ぐに治すために磁気を使用し、その結果、競争馬及び他の動物の命を救えることに気付いていた。その上、プロのスポーツ選手を一般に扱う医師は、磁気が痛む傷からの回復を早くすることを推奨する。皮膚科医、内科医、小児科医、および外科医を含む様々な専門の他の医師は、様々な成功の主張と共に磁気を使用してきた。
【０００４】
磁気の療法の回復特性は、長い間、知られており、また、早期に同様に記録した科学的に高度な文明によって、頼りにされている。古代ギリシャは、磁鉄鉱の形式で本当に最初の自然磁気を発見した。ヒポクラテス(医学の父)は、磁鉄鉱の癒しの力（healing power）に気付いていた。エジプト人は、それらの文章で磁気の神通力（divine power）について説明し、また、クレオパトラは若々しさを保持するために頻繁に磁気の宝石で身を飾った。何千年も前にさかのぼる中国の写本（原稿）は、「ｑｉ」と呼ばれた生命力が、地球の磁場によって発生するというイースター信念について述べる。今日、多くの人が、ルルド、フランスや、セドナ、アリゾナなどのある一定の場所が、この「ｑｉ」、又は生物学上の磁気エネルギーの自然に高いレベルからそれらの癒しの力（healing power）を借りていると信じている。
【０００５】
磁気治療は、日本、中国、インド、オーストリア、及びドイツなどの多くの国で使用されている。最先端のアメリカの医学は、磁気の心電図、脳波、磁気共鳴映像法などの磁場をモニターするための技術を使用するが、それは真剣に磁気治療の他の形式を受け止めていない。しかしながら、アメリカの研究は、磁気治療には薬理効果があるかどうかをますます考えている。その結果、より大きなエネルギー、予防目的、及び様々な成功度での治療のために、夜、磁気のベッドの上で眠り、昼間、小さい磁気を身に着ける人々が急増している。
【０００６】
磁気療法の研究は、パルス生体電気の磁気治療と固定（fixed）磁気治療の２つの異なった領域に分割される。恐らく科学文献の８５〜９０％が、パルス生体生物学上の磁気治療であり、残りが固定の堅い磁気を用いた治療である。他の問題中の極性の議論の中心に置かれた磁気治療の基本メカニズムに関する考えの異なった学派がある。しかしながら、固定（fixed）磁気治療は、科学界及び医学界によってまだ広く受け入れられていない。
【０００７】
骨折及び、それ程の重要性はないが、捻挫や筋違いなどの軟部組織負傷を治療するためにパルス磁場を使用する有効性は、しばらくの間、討論されている。複数の理論が、骨関節炎、リウマチ様関節炎、線維筋痛症、緊張性頭痛、偏頭痛、及びパーキンソン病を含む多くの病気における電磁気治療について説明するために唱えられてきた。１９７０年代以来、多数の科学雑誌はこれらの調査結果を報告している。更に、ＦＤＡは、自然治癒しないであろう骨折である癒着不能骨折の治療のためにパルス電磁気を使用することを承認する。電磁気場がキャストに入り込み、電場は停止するが、磁場は治療し続ける湿気が多く、導電性である皮膚層に達すると信じられている。
【０００８】
電磁気治療を使用する先の試みの大部分は、通常５０ガウス又はそれ以上の電磁気力の高レベルを使用してきた。この治療の大部分が、平坦な磁気発生器を使用しているが、幾つかは、体の一部を再生するか、又は治療するための試みとして、身体部位を磁気毛布で巻きつけている。試みの幾つかが、パルス波を使用するが、そのようなパルス波は、オンオフパルス又は正弦波のどちらかである。
【０００９】
ごく最近、サイモンら（Simon et al.）（米国特許公報番号ＵＳ２００６／００３０８９６  Ａ１）は、装置と椎間板疾患変性症（degenerative disc disease）の治療のための当該装置の使用方法を明確に開示している。サイモンら（Simon et al.）の方法は、椎間板疾患の部分だけにコイルを組み込む。米国特許公報番号ＵＳ２００６／００３０８９５  Ａ１で、サイモンら（Simon et al.）は、興味のある椎間板（disc）を識別し及び異なる波形の電気信号で電気的に椎間板（disc）刺激することにより、椎間板疾患変性症（degenerative disc disease）を治療するための方法を開示している。更に、米国特許公報番号ＵＳ２００６／００３０８９５  Ａ１で、サイモンら（Simon et al.）は、体に配置した２つの電極の使用と、異なる波形の電圧を供給することにより、椎間板疾患変性症（degenerative disc disease）を治療するための方法を更に開示している。更に、米国特許公報番号ＵＳ２００６／００５７６９３  Ａ１で、サイモンら（Simon et al.）は、体外で間充織幹細胞に電気的な刺激を施すことにより用いる間充織幹細胞の組織欠陥を治療する方法、及び興味のある部位で間葉細胞を着床し、その後、体外で細胞に電気的な刺激を適合させることによるのと同じことをする他の方法を開示する。
【００１０】
その結果として、時間変動する電磁気力（「ＴＶＥＭＦ」)スリーブ
コイル、及びコイルに動作可能なようにＴＶＥＭＦ源、導電性部を有するコイル、コイル支持材、及び取り外し可能に受け取られる欠陥能ある組織を有する哺乳動物の体の一部分で、スペース（space）を決める内部、を含む時間変動する電磁気力（「ＴＶＥＭＦ」)スリーブを有することが非常に好ましい。また、同様に修復を向上させるために欠陥のある組織に供給され得るＴＶＥＭＦの使用中のように、欠陥能ある組織を持つ哺乳動物の体の一部分に導入され得るＴＶＥＭＦスリーブを有することが非常に好ましい。本発明は、現在の発明は、組織を再生するための過去の、及び、現在の方法に関連する問題を克服し、これまでにない利点を提示する。
【発明の開示】
【課題を解決するための手段】
【００１１】
本発明は、コイル、及び該コイルに動作可能なように接続したＴＶＥＭＦ源を含むＴＶＥＭＦスリーブであって、該コイルがコイル支持材、導電性部、及び内部を含み、該内部が哺乳動物の体の一部を取り外し可能に支えるスペースを決めるものであるＴＶＥＭＦスリーブに関連する。
【００１２】
また、本発明は、コイルと、該コイルと動作可能なように接続したＴＶＥＭＦ源を含むＴＶＥＭＦスリーブを準備する工程であって、該コイルが導電性部、コイル支持材及び内部を含み、該内部が哺乳動物の体の一部を取り外し可能に支えるスペースを決めるものである工程、該欠陥のある組織を持つ哺乳動物の体の一部に、ＴＶＥＭＦスリーブを導入する工程、及び該欠陥のある組織の修復を向上させるために、該欠陥のある組織を持つ哺乳動物の体の一部に、ＴＶＥＭＦを供給する工程を含む組織修復を向上させるための方法に関連する。
【００１３】
本発明の他の態様、特徴、及び利点は、公開の目的のために与えられた発明の好ましい実施形態の以下の記述で明らかになる。本発明は、後述する好ましい実施形態でより完全に説明されるが、これらに限定することを意図しない。
【発明を実施するための最良の形態】
【００１４】
図面において、図１に示すように、コイル１と、コイル１に動作可能なように接続されたＴＶＥＭＦ源３を含むＴＶＥＭＦスリーブ１０の好ましい実施形態の高側面図を説明する。「動作可能なように接続された」という語句、類似の単語、及び語句は、導電接続、好ましくは少なくとも１本のワイヤーを介してコイルにＴＶＥＭＦを与え得るＴＶＥＭＦ源を運転時の方法で、コイルを接続できるＴＶＥＭＦ源を意味する。ＴＶＥＭＦ源は、好ましくはコイルと一体で、また好ましくはコイルに貼り付け、より好ましくはコイルに取り外し可能に貼り付けるとよい。本発明のＴＶＥＭＦ源は、一般に、工具店で見つけることができ、また、好ましくはバッテリーで作動し、及び／又は電気供給源に取り外し可能に接続することで作動するとよい。本発明のコイルは、哺乳動物の体の一部を取り外し可能に受け取るスペースを決める内部を有する。コイルの内部のスペースは、好ましくは楕円断面、より好ましくは長円形の横断面、最も好ましくは円形断面の形状を有する。コイルはまた、好ましくは堅い巻きコイルのソレノイドがよい。
【００１５】
「取り外し可能に支える」という語句、類似の用語、及び語句は、好ましくはそこに導入され、そこから所望のように除去され得る哺乳動物の体の一部のスペースの特徴が意図される。例えば、哺乳動物の体の一部が、コイルの内部のスペースによって取り外し可能に支えられる。哺乳動物の体の一部は、所望のようにＴＶＥＭＦスリーブのコイル内部のスペースから除去することができる。更に、「導入する」及び類似の用語は、ＴＶＥＭＦスリーブが、哺乳動物の体の一部の周りに巻きつかれ、包み込み、適合され及び／又は取り付けられることによって、哺乳動物の体の一部に導入されてもよいということである。また、哺乳動物の体の一部が、ＴＶＥＭＦスリーブのコイル内部のスペースの中に哺乳動物の体の一部を挿入することによって、ＴＶＥＭＦスリーブに導入されてもよいことが熟考される。
【００１６】
図２は、図１に描かれたＴＶＥＭＦスリーブ１０の同じ好ましい実施形態の正面断面図を説明する。図２は、コイルを有するＴＶＥＭＦスリーブ１０及びＴＶＥＭＦ源３を示す。コイルは、導電性部７とコイル支持材５とを含む。導電性部７は、好ましくは柔軟性のある、より好ましくは実質的に剛体である導電性線が好ましい。導電性部はまた、好ましくは食塩水を含むとよい。図２で説明される好ましい実施形態において、コイル支持材５は、好ましくは導電性部７を含み、また、好ましくは柔軟性があり、又は好ましくは実質的に剛体であるそれに絶縁特性を備える。図２のコイル支持材は、非導電性、好ましくは樹脂である幾つかの物質を含むことが好ましい。好ましくは、導電性部７が実質的に柔軟性がある場合、コイル支持材は、実質的に剛体である。「実質的に剛体」とは、コイル及び／又はコイル支持材が、形状変化に抵抗力があるコイル及び／又はコイル支持材に、更なる支持を必要としない形状を維持することができることである。「実質的に柔軟性がある」とは、コイル及び／又はコイル支持材は、成形しやすく、コイル及び／又はコイル支持材が変化し得る形状が変化し得ることである。本発明のコイルの導電性部は、好ましくは磁気の、より好ましくは銀である導電性物質が好ましい。
【００１７】
図３で、コイル１０１と、コイル１０１に動作可能なように接続されたＴＶＥＭＦ源１０３とを含むＴＶＥＭＦスリーブの他の好ましい実施形態の高側面図を説明する。
【００１８】
図４は、図３に描かれたTVEMF スリーブ１０の好ましい実施形態の正面断面図である。図４には、コイルの導電性部 １０７と、コイルのコイル支持材１０５が示されている。この実施形態の導電性部１０７は、好ましくはコイル支持材１０５の外部を包み込まれた絶縁されている導電性線である。コイル支持材１０５は、実質的に剛体であり、従って、導電性部 １０７の形状を維持し、支えている。また、図４で説明したＴＶＥＭＦ源１０３は、動作可能なようにコイルに接続されている。この好ましい実施形態のＴＶＥＭＦ源１０３は、コイル支持材１０５に取り外し可能に貼り付けられる。これらに限定されないが、マジックテープ、例えばベルクロ、及び接着剤を含む当該技術分野で周知である留め具で貼り付けることができる。また、ＴＶＥＭＦ源１０３内に含まれるバッテリー１０４が示されている。ＴＶＥＭＦスリーブ１０のＴＶＥＭＦ源を操作するバッテリーは、使用者が、使用期間中、電気コンセントに近接して保持することを必要としないように、使用者に移動度の自由を提供する。
【００１９】
図５で説明されるのは、ＴＶＥＭＦ源２０３及び導電性部２０７とコイル支持材２０５を含むコイルを有するＴＶＥＭＦスリーブ１０の側面斜視図である。コイルのコイル支持材２０５は、内部及と外部を有する。内部は、哺取り外し可能に支えることができる乳類の体の一部内のスペースを決める。コイル支持材２０５の外部は、好ましくは導電性金属、より好ましくは強磁性金属、最も好ましくは銀である導電性部２０７でコーティングされている。導電性部２０７は、実質的に薄層中のコイル支持材２０５の外部の吹き付けられ得ることが好ましい。導電性部２０７はまた、実質的に薄い銀のオーバーレイであることが好ましい。「実質的に薄い」という語句は、導電性部が実質的に柔軟性のあるコイルに促進（facilitate）できることである。更に、実質的に柔軟性のあるコイルは、実質的に薄い導電性部と実質的に柔軟性のあるコイル支持材、好ましくは非導電性を含むことが好ましい。さらに、実質的に薄い導電性部が非常に薄くないので、ＴＶＥＭＦを実施することができない。コイル支持材２０５は、これらに限定されないが、ライクラ、ダクロン（登録商標）、及びナイロンである、実質的に柔軟性のある物質を含むことが好ましい。図５の好ましい実施形態のＴＶＥＭＦスリーブ１０は、好ましくは実質的に薄い導電性部２０７及び実質的に柔軟性のあるコイル支持材２０５を含む実質的に柔軟性のあるコイルなので、哺乳動物の体の一部に導入されることができ、ＴＶＥＭＦスリーブ１０は、長期間、楽に使用されることができる。更に、好ましくは取り外し可能にコイルに貼り付けられたＴＶＥＭＦ源２０３は、使用運動の自由度を与える。更に、実質的に柔軟性のあるコイル支持材２０５は、好ましくは実質的に柔軟性のあるコイル支持材が、同時に、ＴＶＥＭＦに接続できる状態のままであるコイルの薄い導電性部なので、哺乳動物の体の一部に導入される時、拡大すると考えられる。
【００２０】
図６は、コイルとコイルに 動作可能なように接続されたＴＶＥＭＦ源２０３を含む図５で説明したＴＶＥＭＦスリーブ１０の好ましい実施形態の正面断面図である。コイルは、コイル支持材２０５と導電性部２０７を更に含む。図５及び６で説明されたＴＶＥＭＦスリーブ１０の好ましい実施形態は、完全に覆う導電性部、好ましくは非導電性のカバーからさらに含むことが好ましい。
【００２１】
図７は、ＴＶＥＭＦスリーブ１０の他の好ましい実施形態を説明するが、外部、内部、及び中央部分、コイル支持材３０５の中央部分内に含まれる導電性部３０７を有するコイル支持材３０５を有するコイルの第一の先端に動作可能なように接続されたＴＶＥＭＦ源３０３を含む高側断面図である。導電性部３０７は、好ましくはスプレー、より好ましくは導電性線である。また、
コイルと一体のファスナー３０８が描かれている。ファスナー３０８は、これらに限定されないが、マジックテープ及び粘着剤を含む従来技術において知られているファスナーとすることができる。コイルの第二の先端は、ＴＶＥＭＦ源３０３に対して導電性部３０７の第二の先端に取り外し可能に接続する連結３０４を有する。使用時に、欠陥のある組織を有する哺乳動物の体の一部が、ＴＶＥＭＦスリーブ１０に導入される。コイルの第一及び第二先端は、哺乳動物の体の一部を包み込み、ファスナー３０８によって留められる。従って、コイルの内部が、哺乳動物の体の一部を取り外し可能に支えるスペースを決める。
【００２２】
作動中、ＴＶＥＭＦスリーブは、欠陥のある組織を有する哺乳動物の体の一部に導入される。「哺乳動物の体の一部」という語句、類似の単語、及び語句は、これらに限定されないが、哺乳動物の胴、頭部及び肢、好ましくは足及び／又は首を好ましくは含むことである。ＴＶＥＭＦスリーブのＴＶＥＭＦ源は、スイッチが入れられ、そして、ＴＶＥＭＦは、ＴＶＥＭＦスリーブによって包み困れた哺乳動物の体の一部の欠陥のある組織の中にコイルを介して供給される。「包みこまれた」及び類似の語句は、哺乳動物の体の一部、及びそれらの欠陥のある組織を包囲するＴＶＥＭＦスリーブのコイルのことである。ＴＶＥＭＦスリーブは、哺乳動物の体の一部に導入され、それらのＴＶＥＭＦに同様に供給するために包み込む。「供給すること」、及び類似の語句は、供給すること、与えること、及び／又はさらすことである。例えば、ＴＶＥＭＦ源は、哺乳動物の体の一部の欠陥のある組織にＴＶＥＭＦスリーブのコイルを介してＴＶＥＭＦを供給する。使用時に、ＴＶＥＭＦは、同様の修復の向上のために、哺乳動物の体の一部の欠陥のある組織に供給される。本発明において、「欠陥のある組織」という語句、又は他の語句、類似の語句は、これらに限定されないが、筋肉、皮膚及び骨を含む。
【００２３】
本発明は、哺乳動物の体の一部の欠陥のある組織にＴＶＥＭＦを供給する方法を備えているので、ＴＶＥＭＦスリーブは、そのような大きさであり、ＴＶＥＭＦが欠陥のある組織に供給され得るように、欠陥のある組織を有する哺乳動物の体の一部を取り外し可能に支えるために構成されている。
ＴＶＥＭＦスリーブのＴＶＥＭＦ源は、好ましくは約０．０５ガウスから約６ガウスまでの範囲、より好ましくは約０．０５ガウスから約０．５ガウスまでの範囲、最も好ましくは約０．５ガウスで発生するとよい。ＴＶＥＭＦは、好ましくは方形波形状のパルス（以下のフーリエ曲線）、より好ましくは異なった方形波、最も好ましくはデルタ波である。例えば、好ましくは、方形波パルスは、約２〜約２５サイクル／秒、より好ましくは約５〜約２０サイクル／秒、約１０サイクル／秒の頻度で発生し、また、導電性部は、例えば、好ましくは、約１から約１０００ｍＡまでの範囲、より好ましくは約１から約１０ｍＡまでの範囲、６ｍＡのＲＭＳ値を有する。しかしながら、これらのパラメータは、本発明の他の態様に基づいて変化するため、本発明のＴＶＥＭＦを限定するものではない。ＴＶＥＭＦは、例えば、ＥＮ３３１  セルセンサーガオスメータ（Cell Sensor Gauss Meter）など一般的な装置によって測定することができる。
【００２４】
ＴＶＥＭＦスリーブが、哺乳動物の体の一部に導入される前に、ＴＶＥＭＦスリーブの有効性を向上し、哺乳動物の体の一部の欠陥のある組織の修復のために、好ましくは２４時間前に、好ましくはカルシウム補足（supplement）が、哺乳動物に投与される。理論によって縛られないように、カルシウム補足が哺乳動物の体の一部の欠陥のある組織中のカルシウムイオンの量を増加させると考えられる。カルシウム補足は、哺乳動物の体の一部の欠陥のある組織へのＴＶＥＭＦの供給の間中、カルシウムイオンの高められたレベルを維持するために、哺乳動物に投与されるのが好ましく、また、投与は、管理の終了が望まれるまで続けられるのが好ましい。一般に、利用可能な店頭取引のカルシウム補足が好まれる。
【００２５】
また好ましくは、ナトリウムゼオライトＡが、哺乳動物の体の一部の欠陥のある組織へのＴＶＥＭＦの供給前に、好ましくはＴＶＥＭＦの供給の間中、哺乳動物に投与される。理論によって縛られないが、ナトリウムゼオライトＡは、イオン交換において有効であると考えられ、従って、哺乳動物の体の一部の欠陥のある組織へのＴＶＥＭＦの効率的な供給を高める。好ましくは哺乳動物に投与されるナトリウムゼオライトＡは、約１０ｍｇ／ｋｇ体重から約２０ｇ／ｋｇ体重までの範囲、より好ましくは約１０ｍｇ／ｋｇ体重から約１０ｇ／ｋｇ体重までの範囲である。哺乳動物に投与されるナトリウムゼオライトＡの量は、好ましくは、損傷の重症度及び修復が必要とされる組織の量によって決まる。仮に、哺乳動物の食料を介して哺乳動物に投与されるとすると、ナトリウムゼオライトＡの量は、総食物の重さの約５％を超えない。ナトリウムゼオライトＡは、毎日、より好ましくは１日に２回投与されることが好ましい。ナトリウムゼオライトＡは、錠剤、トローチ剤、カプセル、粉末剤、糖衣錠、水性又は油性の検査液、シロップ剤、エリキシル剤、及び水溶液から選択される形状で、哺乳動物に投与されることが好ましい。ナトリウムゼオライトＡは、経口又は他の適した方法でも投与されることが好ましい。錠剤又はカプセル剤の形状で投与されるナトリウムゼオライトＡの量は、好ましくは錠剤又はカプセル剤当たり２０ｍｇの量、より好ましくは錠剤又はカプセル剤当たり１００ｍｇの量、更に好ましくは錠剤又はカプセル剤当たり５０００ｍｇである。ナトリウムゼオライトＡは、哺乳動物の体の一部の欠陥のある組織へのＴＶＥＭＦの供給する前及び供給する間中、哺乳動物に投与され、そして、哺乳動物の体の一部の欠陥のある組織が修復されるまで、又は管理の終了が望まれるまで続けられることが好ましい。
【００２６】
仮に、簡単な足の骨折を有する哺乳動物のサンプル２個が選ばれたならば、第一のサンプルには、足の骨折の標準的な治療が施され、第二のサンプルには、足の骨折の標準的な治療と、ＴＶＥＭＦスリーブを通して足の骨折箇所に供給されるＴＶＥＭＦが施され、ＴＶＥＭＦが足の骨折に供給されるそれらのサンプルにおいて、実質的に治療回数が４分の１超過で減少する結果が期待される。
【００２７】
様々な変化が、本発明で熟考されるように、本発明の範囲から逸脱しないで、ＴＶＥＭＦスリーブで作られ得たので、ここに含まれる全ての事柄が、説明に役立ち制限されるものではないと解釈されることを意図する。
【図面の簡単な説明】
【００２８】
図面において、
【図１】図１は、ＴＶＥＭＦスリーブの高側面図である。
【図２】図２は、ＴＶＥＭＦスリーブの正面断面図である。
【図３】図３は、ＴＶＥＭＦスリーブの高側面図である。
【図４】図４は、ＴＶＥＭＦスリーブの正面断面図である。
【図５】図５は、ＴＶＥＭＦスリーブの側面斜視図である。
【図６】図６は、ＴＶＥＭＦスリーブの正面断面図である。
【図７】図７は、ＴＶＥＭＦスリーブの高側断面図である。
【図１】
2009500075.tif 000003
【図２】
2009500075.tif 000004
【図３】
2009500075.tif 000005
【図４】
2009500075.tif 000006
【図５】
2009500075.tif 000007
【図６】
2009500075.tif 000008
【図７】
2009500075.tif 000009
【手続補正書】
【提出日】平成20年3月21日(2008.3.21)
【手続補正１】
【補正対象書類名】特許請求の範囲
【補正対象項目名】全文
【補正方法】変更
【補正の内容】
【特許請求の範囲】
【請求項１】
以下を含む時間変動する電磁気力スリーブ、
ａ.  導電性部と外部を有するコイル支持材を含むコイルであって、該導電性部が該コイル支持材の外部の周りに巻きつけられ、ソレノイドであって、且つ、該コイルが哺乳動物の体の一部を取り外し可能に支えるスペースを決める内部を有するもの；及び
ｂ.  該コイルに動作可能なように接続した時間変動する電磁気力源。
【請求項２】
前記コイルが、実質的に楕円断面を有する、請求項１に記載の時間変動する電磁気力スリーブ。
【請求項３】
前記コイルが、実質的に長円形の断面を有する、請求項１に記載の時間変動する電磁気力スリーブ。
【請求項４】
前記コイルが、実質的に円形断面を有する、請求項１に記載の時間変動する電磁気力スリーブ。
【請求項５】
前記コイルが、ソレノイドである、請求項１に記載の時間変動する電磁気力スリーブ。
【請求項６】
前記コイルが、実質的に剛体である、請求項１に記載の時間変動する電磁気力スリーブ。
【請求項７】
前記コイルが、実質的に柔軟性がある、請求項１に記載の時間変動する電磁気力スリーブ。
【請求項８】
前記コイル支持材が、実質的に剛体である、請求項１に記載の時間変動する電磁気力スリーブ。
【請求項９】
前記導電性部が、強磁性体を含む、請求項１に記載の時間変動する電磁気力スリーブ。
【請求項１０】
前記導電性部が、銀である、請求項１に記載の時間変動する電磁気力スリーブ。
【請求項１１】
前記導電性部が、導電性線である、請求項１に記載の時間変動する電磁気力スリーブ。
【請求項１２】
前記導電性部が、絶縁されている、請求項１に記載の時間変動する電磁気力スリーブ。
【請求項１３】
前記絶縁体が、実質的に剛体である、請求項１２に記載の時間変動する電磁気力スリーブ。
【請求項１４】
以下の工程を含む哺乳動物の欠陥のある組織の修復を向上する方法：
ａ.  導電性部、及び、外部及び内部を有するコイル支持材を有するコイルと、動作可能なように接続した電磁気力源を含む時間変動する電磁気力スリーブを準備する工程であって、該導電性部が、該コイル支持材の周りに巻きつけられたソレノイドであり、該導電性部が導電性線であり、且つ、該コイル支持材の内部が、欠陥のある組織を持つ哺乳動物の体の一部を取り外し可能に支えるスペースを決めるものである工程、
ｂ.  該欠陥のある組織を持つ哺乳動物の体の一部に、時間変動する電磁気力スリーブを導入する工程、及び
ｃ.  該欠陥のある組織の修復を向上させるために、該欠陥のある組織を持つ哺乳動物の体の一部に、時間変動する電磁気力を供給する工程。
【請求項１５】
前記時間変動する電磁気力が、方形波（フーリエ曲線に従う）の形状である、請求項１４に記載の組織修復を向上する方法。
【請求項１６】
前記時間変動する電磁気力が、異なった方形波の形状である、請求項１４に記載の組織修復を向上する方法。
【請求項１７】
前記時間変動する電磁気力が、デルタ波の形状である、請求項１４に記載の組織修復を向上する方法。
【請求項１８】
前記方形波が、０．０５ガウスから６ガウスまでである、請求項１５に記載の組織修復を向上する方法。
【請求項１９】
前記方形波が、０．０５ガウスから０．５ガウスまでである、請求項１５に記載の組織修復を向上する方法。
【請求項２０】
前記方形波が、０．５ガウスである、請求項１５に記載の組織修復を向上する方法。
【請求項２１】
哺乳動物にカルシウム補足を投与する工程を更に含む、請求項１４に記載の組織修復を向上する方法。
【請求項２２】
前記カルシウム補足が、前記工程ｃの前に投与される、請求項２１に記載の組織修復を向上する方法。
【請求項２３】
前記カルシウム補足が、前記工程ｃと同時に投与される、請求項２１に記載の組織修復を向上する方法。
【請求項２４】
前記哺乳動物にナトリウムゼオライトＡを投与する工程を更に含む、請求項１４に記載の組織修復を向上する方法。
【請求項２５】
前記ナトリウムゼオライトＡが、前記工程ｃの前に投与される、請求項２４に記載の組織修復を向上する方法。
【請求項２６】
前記ナトリウムゼオライトＡが、前記工程ｃと同時に投与される、請求項２４に記載の組織修復を向上する方法。
【請求項２７】
前記ナトリウムゼオライトＡが、１０ｍｇ／ｋｇ体重／日から２０ｍｇ／ｋｇ体重／日までの範囲で投与される、請求項２４に記載の組織修復を向上する方法。
【請求項２８】
前記時間変動する電磁気力が、前記欠陥のある組織が修復されるまで、前記欠陥のある組織に供給される、請求項１４に記載の組織修復を向上する方法。
【請求項２９】
前記カルシウム補足が、前記欠陥のある組織が修復されるまで投与される、請求項２１に記載の組織修復を向上する方法。
【請求項３０】
前記ナトリウムゼオライトＡが、前記欠陥のある組織が修復されるまで投与される、請求項２４に記載の組織修復を向上する方法。
【請求項３１】
前記ナトリウムゼオライトＡが、全仕込み量の５％未満である、請求項２４に記載の組織修復を向上する方法。
【請求項３２】
前記時間変動する電磁気力スリーブが、実質的に柔軟性がある、請求項１４に記載の組織修復を向上する方法。
【請求項３３】
前記時間変動する電磁気力スリーブが、実質的に剛体である、請求項１４に記載の組織修復を向上する方法。
【請求項３４】
以下を含む時間変動する電磁気力スリーブ、
ａ.  導電性部とコイル支持材とを有するコイルであって、該導電性部が該コイル支持材に導入され、該コイルが、哺乳動物の体の一部を取り外し可能に支えるスペースを決める内部を有するもの；及び
ｂ.  該コイルに動作可能なように接続した時間変動する電磁気力源。
【請求項３５】
以下の工程を含む哺乳動物の欠陥のある組織の修復を向上する方法：
ａ.  請求項３４に記載の時間変動する電磁気力スリーブを準備する工程であって、コイル支持材の内部が、欠陥のある組織を持つ哺乳動物の体の一部を取り外し可能に支えるスペースを決めるものである工程、
ｂ.  該欠陥のある組織を持つ哺乳動物の体の一部に、時間変動する電磁気力スリーブを導入する工程、及び
ｃ.  該欠陥のある組織の修復を向上させるために、該欠陥のある組織を持つ哺乳動物の体の一部に、時間変動する電磁気力を供給する工程。
【請求項３６】
以下を含む時間変動する電磁気力スリーブ：
ａ.  導電性部とコイル支持材とを有するコイルであって、該導電性部が該コイル支持材上の銀のオーバーレイであり、該コイルが哺乳動物の体の一部を取り外し可能に支えるスペースを決める内部を有するもの、及び
ｂ.  該コイルに動作可能なように接続した時間変動する電磁気力源。
【請求項３７】
以下の工程を含む哺乳動物の欠陥のある組織の修復を向上する方法：
ａ.  請求項３５に記載の時間変動する電磁気力スリーブを準備する工程であって、コイル支持材の内部が欠陥のある組織を持つ哺乳動物の体の一部を取り外し可能に支えるスペースを決めるものである工程、
ｂ.  該欠陥のある組織を持つ哺乳動物の体の一部に、時間変動する電磁気力スリーブを導入する工程、及び
ｃ.  該欠陥のある組織の修復を向上させるために、該欠陥のある組織を持つ哺乳動物の体の一部に、時間変動する電磁気力を供給する工程。
【請求項３８】
以下の工程を含む哺乳動物の欠陥のある組織の修復を向上する方法：
ａ.  コイルと、該コイルと動作可能なように接続した時間変動する電磁気力源を有する時間変動する電磁気力スリーブを準備する工程であって、該コイルがコイル支持材、導電性部、及び内部を含み、該内部が欠陥のある組織を持つ哺乳動物の体の一部を取り外し可能に支えるスペースを決めるものである工程、
ｂ.  該欠陥のある組織を持つ哺乳動物の体の一部に、時間変動する電磁気力スリーブを導入する工程、及び
ｃ.  該欠陥のある組織の修復を向上させるために、該欠陥のある組織を持つ哺乳動物の体の一部に、時間変動する電磁気力を供給する工程。
【請求項３９】
哺乳動物にカルシウム補足を投与する工程を更に含む、請求項３８に記載の組織修復を向上する方法。
【請求項４０】
前記カルシウム補足が、前記工程ｃの前に投与される、請求項３９に記載の組織修復を向上する方法。
【請求項４１】
前記カルシウム補足が、前記工程ｃと同時に投与される、請求項３９に記載の組織修復を向上する方法。
【請求項４２】
前記哺乳動物にナトリウムゼオライトＡを投与する工程を更に含む、請求項３８に記載の組織修復を向上する方法。
【請求項４３】
前記ナトリウムゼオライトＡが、前記工程ｃの前に投与される、請求項４２に記載の組織修復を向上する方法。
【請求項４４】
前記ナトリウムゼオライトＡが、前記工程ｃと同時に投与される、請求項４２に記載の組織修復を向上する方法。
【請求項４５】
前記ナトリウムゼオライトＡが、１０ｍｇ／ｋｇ体重／日から２０ｍｇ／ｋｇ体重／日までの範囲で投与される、請求項４２に記載の組織修復を向上する方法。
【請求項４６】
前記時間変動する電磁気力が、前記欠陥のある組織が修復されるまで、前記欠陥のある組織に供給される、請求項３８に記載の組織修復を向上する方法。
【請求項４７】
前記カルシウム補足が、前記欠陥のある組織が修復されるまで投与される、請求項３９に記載の組織修復を向上する方法。
【請求項４８】
前記ナトリウムゼオライトＡが、前記欠陥のある組織が修復されるまで投与される、請求項４２に記載の組織修復を向上する方法。
【請求項４９】
前記ナトリウムゼオライトＡが、全仕込み量の５％未満である、請求項４２に記載の組織修復を向上する方法。
【国際調査報告】
2009500075.tif 000010